(57)【特許請求の範囲】
【請求項１】
端子開閉用レバーに接続される導電部材を両導電端子部間に抜き挿しする断路端子台の保護カバーにおいて、該保護カバーは、上面部と両垂直面部とを備え、下方が開放した断面コ字状に構成され、該両導電端子部および該端子開閉用レバーの両方を覆って該端子開閉用レバーの操作状態を保持するように構成され、該上面部と該両垂直面部との連接部中央にそれぞれ、該上面部と垂直方向に上側に突出した両耳部が、互いに対向して形成され、該保護カバーは、該両導電端子部のねじ部上方からずれた位置に形成された貫通孔を有する断路端子台の保護カバー。
【請求項２】
端子開閉用レバーに接続される導電部材を両導電端子部間に抜き挿しする断路端子台の保護カバーにおいて、該保護カバーは、上面部と両垂直面部とを備え、下方が開放した断面コ字状に構成され、該両導電端子部および該端子開閉用レバーのうちの少なくとも該端子開閉用レバー上を覆って該端子開閉用レバーの操作状態を保持するように構成され、該上面部と該両垂直面部との連接部中央にそれぞれ、該上面部と垂直方向に上側に突出した両耳部が互いに対向して形成されている断路端子台の保護カバー。
【請求項３】
前記両垂直面部からそれぞれ平面部さらに垂直面部が連接され、前記貫通孔は、該平面部に形成されている請求項１に記載の断路端子台の保護カバー。
【請求項４】
前記端子開閉用レバーおよび前記両導電端子部が保持された絶縁性ユニットに垂直方向に立設されて隣接ラインとの隔壁となる側壁が設けられ、該保護カバーは、該側壁の外周上側部端面形状両側の括れ部に係合するように形成された両係合部を有し、該保護カバーは、該両係合部によって該絶縁性ユニットに装着または脱着自在であるように構成されている請求項１または２に記載の断路端子台の保護カバー。
【請求項５】
前記端子開閉用レバーが引き上げられた開回路状態と、該端子開閉用レバーが挿し込まれた閉回路状態とのうちの少なくとも該閉回路状態の該端子開閉用レバー上を覆っている請求項１または２に記載の断路端子台の保護カバー。
【発明の詳細な説明】
【技術分野】
【０００１】
本発明は、例えば原子力発電所、火力発電所および変電所などの配電盤、制御盤および監視盤などに配線中継・分岐装置として用いられ、配線経路に挿入されて配線の接続変更やシステムの動作確認時などに電路を物理的に切り離したり接続したりすることができる断路端子台の保護カバーに関する。
【背景技術】
【０００２】
従来の断路端子台は、配線経路の接続変更やシステムの動作確認時などに、端子開閉用ツマミを引き上げたり押し込んだりすることにより、電路を物理的に切り離したり接続したりすることができるが、作業中に人間の勘違いなどによって端子開閉用ツマミを引き上げたり押し込んだりしてしまう虞がある。例えば、遮断すべき対象の電気品と制御盤間などを誤った端子開閉用ツマミ操作により、通電状態にしてしまったりする可能性が有り得る。このような誤操作を防止するために特許文献１が提案されている。
【０００３】
図９は、特許文献１に開示されている従来の断路端子台を示す要部断面図であって、図９（ａ）は、電路がつながった閉回路状態を示す要部断面図、図９（ｂ）は、電路が遮断された開回路状態を示す要部断面図である。
【０００４】
図９（ａ）および図９（ｂ）に示すように、従来の断路端子台１００は、端子開閉用ツマミ１０１に一体に取り付けられた短絡用板ばね１０２を、一対の導電板１０３の間に差込みまたは引上げることによって回路の開閉を行っている。
【０００５】
図９（ａ）の閉回路状態から図９（ｂ）の開回路状態にするには、断路端子開閉用ツマミ１０１を引き上げて、短絡用板バネ１０２により一対の導電板１０３間を開回路状態にする。ツマミ用安全ピン１０５を差し込み方向（上から下）に回転させて、ツマミ用安全ピン１０５の先端の張出し部１０５ａを安全ピン止め具１０４上に嵌合させてロックし、この安全ピン止め具１０４により、断路端子開閉用ツマミ１０１を下側に差込もうとしても、ツマミ用安全ピン１０５の張出し部１０５ａが安全ピン止め具１０４上で止まるようになっている。即ち、一対の導電板１０３の間が開回路状態から、誤って断路端子開閉用ツマミ１０１が差込まれて短絡用板バネ１０２により一対の導電板１０３間が閉回路状態にならないようになっている。
【０００６】
図９（ｂ）の開回路状態から図９（ａ）の閉回路状態にするには、ツマミ用安全ピン１０５を引上げ方向に回転させて、ツマミ用安全ピン１０５の張出し部１０５ａと安全ピン止め具１０４の接触を回避した状態で、断路端子開閉用ツマミ１０１を上から下へと差込んで、短絡用板バネ１０２により一対の導電板１０３間を閉回路状態にすることができる。
【先行技術文献】
【特許文献】
【０００７】
【特許文献１】特開２００６−２７７９５４号公報
【発明の概要】
【発明が解決しようとする課題】
【０００８】
上記従来の断路端子台１００では、一対の導電板１０３間が開回路状態から閉回路状態に、誤って断路端子開閉用ツマミ１０１が差込まれないように安全ピン止め具１０４とツマミ用安全ピン１０５が嵌合してロック可能としているが、逆に、一対の導電板１０３間が閉回路状態から開回路状態に、誤って断路端子開閉用ツマミ１０１が引き上げられないように安全ピン止め具１０４とツマミ用安全ピン１０５との関係でロックすることができないという問題がある。要するに、従来の断路端子台には検査時に常時開回路状態のものと常時閉回路状態のものとがあり、導電板１０３間の開回路状態と閉回路状態とのうちの少なくとも閉回路状態をロック状態にして誤操作を防止することができないという問題がある。
【０００９】
本発明は、上記従来の問題を解決するもので、導電部材間の開回路状態と閉回路状態のうちの少なくとも閉回路状態をロック状態にして誤操作を防止できて安全性が確実な断路端子台の保護カバーを提供することを目的とする。
【課題を解決するための手段】
【００１０】
本発明の断路端子台の保護カバーは、端子開閉用レバーに接続される導電部材を両導電端子部間に抜き挿しする断路端子台の保護カバーにおいて、該両導電端子部および該端子開閉用レバーのうちの少なくとも該端子開閉用レバー上を覆って該端子開閉用レバーの操作状態を保持するように構成されているものであり、そのことにより上記目的が達成される。
【００１１】
また、好ましくは、本発明の断路端子台の保護カバーにおいて、下方が開放した断面コ字状に構成され、上面部から両垂直面部の連接部中央にそれぞれ、該上面部とは垂直方向で上側に突出した両耳部が互いに対向して形成されている。
【００１２】
さらに、好ましくは、本発明の断路端子台の保護カバーにおける両垂直面部からそれぞれ平面部さらに垂直面部が連接され、前記両導電端子部上および前記端子開閉用レバー上を覆い、該両導電端子部のねじ部上方からずれた該平面部の位置に貫通孔が形成されている。
【００１３】
さらに、好ましくは、本発明の断路端子台の保護カバーにおける端子開閉用レバーおよび前記両導電端子部が保持された絶縁性ユニットに垂直方向に立設されて隣接ラインとの隔壁となる側壁が設けられ、該側壁の外周上側部端面形状両側の括れ部に対して両係合部が装着または脱着自在に形成されて該絶縁性ユニットに装着または脱着自在に構成されている。
【００１４】
さらに、好ましくは、本発明の断路端子台の保護カバーにおける端子開閉用レバーが引き上げられた開回路状態と、該端子開閉用レバーが挿し込まれた閉回路状態とのうちの少なくとも該閉回路状態の該端子開閉用レバー上を覆っている。
【００１５】
上記構成により、以下、本発明の作用を説明する。
【００１６】
本発明においては、端子開閉用レバーに接続される導電部材を両導電端子部間に抜き挿しする断路端子台の保護カバーにおいて、両導電端子部および端子開閉用レバーのうちの少なくとも端子開閉用レバー上およびその周囲を覆って該端子開閉用レバーの操作状態を保持するように構成している。
【００１７】
これによって、導電部材間の開回路状態と閉回路状態のうちの少なくとも閉回路状態をロック状態にして誤操作を防止できて安全性が確実な断路端子台の保護カバーを得ることが可能となる。
【発明の効果】
【００１８】
以上により、本発明によれば、両導電端子部および端子開閉用レバーのうちの少なくとも端子開閉用レバー上およびその周囲を覆って該端子開閉用レバーの操作状態を保持するため、導電部材間の開回路状態と閉回路状態のうちの少なくとも閉回路状態をロック状態にして誤操作を防止できて安全性が確実な断路端子台の保護カバーを得ることができる。
【図面の簡単な説明】
【００１９】
【図１】（ａ）は、本発明の実施形態１における断路端子台の保護カバーの２ライン構成を示す斜視図、（ｂ）はその保護カバーの正面図、（ｃ）はその保護カバーの側面図、（ｄ）はその保護カバーの上面図、（ｅ）は（ｃ）のＡＡ’線縦断面図である。
【図２】図１の保護カバー１が断路端子台の上部に装着された状態を内部構造と共に示す１ユニット構成図である。
【図３】図１の保護カバー１が断路端子台の上部に装着された複数ユニット構成を示す平面図である。
【図４】図３の複数ユニット構成の正面図である。
【図５】（ａ）は、本発明の実施形態２における断路端子台の保護カバーの１ライン構成を示す斜視図、（ｂ）はその保護カバーの正面図、（ｃ）はその保護カバーの側面図、（ｄ）はその保護カバーの上面図である。
【図６】図５の保護カバーが断路端子台の既存のカバー部材のレバー用角穴に係合して装着された状態を内部構造と共に示す１ユニット構成図である。
【図７】図５の保護カバーが断路端子台の上部に装着された複数ユニット構成を示す平面図である。
【図８】図７の複数ユニット構成の正面図である。
【図９】特許文献１に開示されている従来の断路端子台を示す要部断面図であって、（ａ）は、電路がつながった閉回路状態を示す要部断面図、（ｂ）は、電路が遮断された開回路状態を示す要部断面図である。
【発明を実施するための形態】
【００２０】
以下に、本発明の断路端子台の保護カバーの実施形態１、２について図面を参照しながら詳細に説明する。なお、各図における構成部材のそれぞれの厚みや長さなどは図面作成上の観点から、図示する構成に限定されるものではない。また、保護カバーの保護ライン数も、ここでは実施形態１では２ライン、実施形態２では１ラインとしたがそれら以外の複数のライン数であってもよく、図示する構成に限定されるものではない。さらに、本発明の実施形態１、２は、本願請求項に示した範囲で種々の変更が可能である。本願請求項に示した範囲で適宜変更した技術的手段を更に組み合わせて得られる実施形態や各実施形態の組み合わせについても本発明の技術的範囲に含まれる。
【００２１】
（実施形態１）
図１（ａ）は、本発明の実施形態１における断路端子台の保護カバーの２ライン構成を示す斜視図、図１（ｂ）はその保護カバーの正面図、図１（ｃ）はその保護カバーの側面図、図１（ｄ）はその保護カバーの上面図、図１（ｅ）は図１（ｃ）のＡＡ’線縦断面図である。
【００２２】
図１（ａ）〜図１（ｅ）において、本実施形態１の断路端子台の保護カバー１は、射出成形の絶縁樹脂製（例えばポリカーボネイト）で構成され、所定幅で上面部２の対向辺から両垂直面部３が連接されて、下方が開放した断面コ字状に構成されている。両垂直面部３の両開放端からそれぞれ水平方向に平面部４で延在した後にさらに垂直方向に垂直面部５で延在している。両垂直面部３の上部幅中央部にそれぞれ、上面部２とは垂直方向で上側に延びる両耳部３１が連設されている。これらの両耳部３１は互いに対向して配設されている。
【００２３】
これらの両耳部３１を外側から指でつまむと、内側への付勢に抗して外側に開放端が開くようになっている。断面コ字状の開放部６の両開放端からそれぞれ延在した両平面部４にはライン毎に２個づつの貫通孔４１が形成されている。後述する断路端子台１０の上部に保護カバー１が装着された場合に、ねじ部を含む充電部を平面部４および垂直面部５で保護すると共に、この貫通孔４１がねじ部よりも外側にずれて形成されており、この貫通孔４１を通して検査プローブなどにより端子に接触可能に構成している。要するに、この貫通孔４１はドライバ用穴ではなく、回路テェックなどのための検査プローブ用の穴である。貫通孔４１がねじ部よりも外側にずれていることによって、この貫通孔４１を通してドライバ操作ができないように構成している。
【００２４】
さらに、開放部６の外側の両垂直面部５は、その背面方向に突出して先端が尖った両係合部５１が形成されている。後述する断路端子台１０の上部に保護カバー１を装着する際に、両係合部５１により、後述する断路端子台１０の側壁１１上部の両括れ部１１ａに両外側から係合して断路端子台１０の両括れ部１１ａに保護カバー１の両係合部５１が装着されるようになっている。
【００２５】
保護カバー１は、前述したが、例えばポリカーボネイトなどの透明樹脂材料で構成して、断路端子台１０への保護カバー１の装着時にも断路端子台１０のマークバンドの文字を透明な保護カバー１を通して読むことができるようになっている。
【００２６】
図２は、図１の保護カバー１が断路端子台１０の上部に装着された状態を内部構造と共に示す１ユニット構成図である。
【００２７】
図２において、本実施形態１の保護カバー１が断路端子台１０の上部に装着されている。本実施形態１の保護カバー１は、端子開閉用レバー１２の引き上げまたは挿し込み操作により配線経路を切り離したり接続したりする断路端子台１０の保護カバー１であって、端子部１３と端子開閉用レバー１２上を覆って端子開閉用レバー１２の操作状態を外部から操作不能に保持するものである。
【００２８】
下方が開放した断面コ字状に構成され、上面部２から両垂直面部３の連接部中央にそれぞれ、上面部２とは垂直方向で上側に突出した両耳部３１が互いに対向して形成されている。この保護カバー１の上端部の両耳部３１を外側から指でつまむと、内側への付勢力に抗して外側に開放部６が開いて、断路端子台１０の側壁１１の外周上側部端面形状の括れ部１１ａに両係合部５１が装着または脱着自在になる。開放部６の内側への付勢力によって、外側の両垂直面部５から内側に突出して先端が尖った両係合部５１が、断路端子台１０の側壁１１の外周上側部端面形状部の括れ部１１ａに両側から挟み込んで係合して断路端子台１０に保護カバー１を装着することができる。これによって、端子開閉用レバー１２および端子部１３上を２ラインに渡って覆ってこれらに手が触れないように内部を保護して端子開閉用レバー１２の誤操作の防止と共に安全性が確実な保護カバー１を得ることができる。
【００２９】
この場合、絶縁性のユニット１５の左右中心に対してレバー位置が右側に寄っているため、保護カバー１は左右逆に取り付けることができない構造である。また、保護カバー１は端子開閉用レバー１２を差し込んだ状態および引き上げた状態共に覆うことができるようになっている。
【００３０】
断路端子台１０は、前述したが、平面視長方形状の金属板（銅または真鍮の表面に例えばＮｉメッキ処理）に締結用のねじ穴（バーリング加工が為されてねじが切られていてもよいし、単なる穴でナットで受けてもよい）を持つ導電接続端子１３ａと、この導電接続端子１３ａの締結用のねじ穴を通してその下の六角ナットに締結可能とするねじアップ座金付のねじ部とを有する端子部１３をライン両側にそれぞれ備えている。この両側のねじアップ式の端子部１３の間に、上下方向に挿脱自在な導通クリップ１４を下端部に固定した端子開閉用レバー１２が設けられている。
【００３１】
これらのライン両側のねじアップ式の端子部１３と、この間の開閉を行う導電部材としての導通クリップ１４（クリップ内に圧縮ばねが装着）が下端に固定して設けられた端子開閉用レバー１２とを保持すると共に、締結用のねじ穴の直下に六角ナットが回り止め用ナット収容部に六角ナットを挿入するなどしてその上に両ねじアップ式の端子部１３を保持する絶縁体材料（絶縁樹脂部材）からなるユニット１５が設けられている。端子開閉用レバー１２および両ねじアップ式の端子部１３が保持されたユニット１５に垂直方向に立設されて隣接ラインとの隔壁となっている側壁１１が絶縁性のユニット１５毎に設けられている。
【００３２】
保護カバー１において、上面部２から両垂直面部３にそれぞれ連接され、両垂直面部３から平面部４さらに垂直面部５が連接され、両端子部１３上および端子開閉用レバー１２上を覆い、両端子部１３のねじ部上方から外側にずれた平面部４の位置に貫通孔４１が形成されている。
【００３３】
図３は、図１の保護カバー１が断路端子台１０の上部に装着された複数ユニット構成を示す平面図である。図４は図３の複数ユニット構成の正面図である。
【００３４】
図３および図４において、本実施形態１の保護カバー１が装着された断路端子台１０の複数ユニット構成は、その複数のユニット１５の下部をアルミニュウム製のレール１６に通してその両側にエンドプレート１８をそれぞれ通す。さらに、その両側のエンドプレート１８の外側から複数のユニット１５と共に一括して各固定部材１７で締結して固定している。
【００３５】
以上により、本実施形態１によれば、端子開閉用レバー１２に接続される導電部材としての導電クリップ１４を両端子部１３の導電接続端子１３ａ間に抜き挿しする断路端子台１０の保護カバー１において、両端子部１３および端子開閉用レバー１２上を覆って端子開閉用レバー１２の操作状態を誤操作なく保持するように構成されている。
【００３６】
これによって、導電接続端子１３ａ間の開回路状態と閉回路状態をロック状態にして端子開閉用レバー１２の誤操作を防止できて安全性が確実な断路端子台１０の保護カバー１を得ることができる。
【００３７】
なお、本実施形態１では、ねじアップ式の端子部１３と端子開閉用レバー１２上およびその周囲を覆って２ライン分を一括して保護する保護カバー１について説明したが、これに限らず、保護カバー１として、ねじアップ式の端子部１３と端子開閉用レバー１２上およびその周囲を覆って３ライン分または４ライン分などの他、それ以上の複数ライン分を一括して覆って保護するようにしてもよい。
【００３８】
逆に、保護カバー１として、ねじアップ式の端子部１３と端子開閉用レバー１２上およびその周囲を覆って最小単位の１ライン分のみを保護するように構成することもできる。この場合には、断路端子台１０の隣接の両側壁１１の外周上側部端面形状の括れ部１１ａにそれぞれ係合部５１を両側から係合させて保護カバー１を断路端子台１０の上部に装着させる必要がある。
【００３９】
なお、本実施形態１では、保護カバー１は端子開閉用レバー１２を差し込んだ状態および引き上げた状態共に覆ってレバーの誤操作を防止することができる場合について説明したが、これに限らず、保護カバー１として、必要に応じて、端子開閉用レバー１２を差し込んだ状態のみを覆って端子開閉用レバー１２の引き上げの誤操作を防止するように高さサイズを低く構成することもできる。
【００４０】
（実施形態２）
上記実施形態１では、ねじアップ式の端子部１３と端子開閉用レバー１２上およびその周囲を覆って２ライン分を一括して保護する保護カバー１について説明したが、本実施形態２では、後述する既存のカバー部材１９を用いてカバー部材１９のレバー用角孔に係合して端子開閉用レバー１２だけを覆って１ライン分だけを保護する保護カバー２１について説明する。
【００４１】
図５（ａ）は、本発明の実施形態２における断路端子台１０の保護カバー２１の１ライン構成を示す斜視図、図５（ｂ）はその保護カバー２１の正面図、図５（ｃ）はその保護カバー２１の側面図、図５（ｄ）はその保護カバー２１の上面図である。
【００４２】
図５（ａ）〜図５（ｄ）において、本実施形態１の断路端子台１０の１ライン用の保護カバー２１は、射出成形の絶縁樹脂製（例えばポリカーボネイト）で構成され、所定幅で上面部２２の対向辺から両垂直面部２３がそれぞれ連接されて、その下方端が開放した断面コ字状の開放部２４を有している。両垂直面部２３の両下端面部はそれぞれ、上から押さえても変形して潰れにくいようにその板厚よりも幅広の幅広部２３ａに構成されている。断面コ字状の下端面部の各幅広部２３ａの内側から外側に向けて既設のカバー部材１９のレバー用角孔に対して係合可能とするかぎ状の係合部２３ｂがそれぞれ形成されている。
【００４３】
図６は、図５の保護カバー２１が断路端子台１０の既存のカバー部材１９のレバー用角穴に係合して装着された状態を内部構造と共に示す１ユニット構成図である。
【００４４】
図６において、本実施形態２の保護カバー２１は、断路端子台１０の上部に装着された既存のカバー部材１９のレバー用角穴に外側に向けて係合して１ユニット毎に装着される。既存のカバー部材１９のレバー用角穴から端子開閉用レバー１２が絶縁性のユニット１５毎に貫通して突出している。このユニット１５毎に既存のカバー部材１９から突出した端子開閉用レバー１２を更に保護カバー２１が覆っている。この保護カバー２１は、押し込まれて低くなった端子開閉用レバー１２上を覆う低サイズであるから、誤って端子開閉用レバー１２を引き上げるのを防止するために用いられる。なお、また点線で示したが、保護カバー２１Ａとして、端子開閉用レバー１２が引き上げられて高くなった端子開閉用レバー１２上を覆う高サイズであってもよく、誤って端子開閉用レバー１２が挿し込まれるのを防止することができる。この保護カバー２１Ａの高サイズの場合には保護カバー２１の低サイズの機能を兼ねることができる。
【００４５】
この両係合部２３ｂは互いに外側に向けて、ここでは既存のカバー部材１９のレバー用角穴に係合するようになっている。下方が開放した断面コ字状の保護カバー２１の下側を外側から指でつまむと、開放部２４の開放端外側への付勢力に抗して内側に開放端が閉じて、断路端子台１０の側壁１１の外周上部端面形状の括れ部１１ａに嵌め込まれた既存のカバー部材１９のレバー用角穴内に容易に挿入することができる。その後、保護カバー２１の下側からつまんだ指を外すと、保護カバー２１の下側の開放端が開いて、保護カバー２１の両係合部２３ｂがカバー部材１９のレバー用角穴に係合して固定化するようになっている。また、下方が開放した断面コ字状の保護カバー２１の下側を外側から指でつまむと、既存のカバー部材１９のレバー用角穴内から保護カバー２１を容易に取り出して脱着することができる。
【００４６】
前述したが、保護カバー２１の下部を外側から指でつまむと、外側への付勢力に抗して内側に開放端が閉じて、断路端子台１０の側壁１１の上部に装着された既存のカバー部材１９のレバー用角穴内に容易に挿入自在になる。保護カバー２１の開放端の外側への付勢力によって、既存のカバー部材１９のレバー用角穴内に容易に両外側に向けて係合して断路端子台１０に保護カバー２１を装着することができる。これによって、端子開閉用レバー１２上を１ライン毎に覆って誤操作を未然に防止することができる。
【００４７】
断路端子台１０は、前述したが、平面視長方形状の金属板（銅または真鍮の表面に例えばＮｉメッキ処理）に締結用のねじ穴（バーリング加工が為されてねじが切られていてもよいし、単なる穴でナットで受けてもよい）を持つ導電接続端子１３ａと、この導電接続端子１３ａの締結用のねじ穴を通してその下の六角ナットに締結可能とするねじアップ座金付のねじ部とを有する端子部１３をライン両側にそれぞれ備えている。この両側のねじアップ式の端子部１３の間に、上下方向に挿脱自在な導通部材としての導通クリップ１４（内部に圧縮ばねを装着）を下端部に固定した端子開閉用レバー１２が上部から操作可能に設けられている。
【００４８】
これらのライン両側のねじアップ式の端子部１３と、この間の開閉を行う導通クリップ１４が下端に設けられた端子開閉用レバー１２とを保持すると共に、締結用のねじ穴の直下に六角ナットが回り止め用ナット収容部に六角ナットを挿入してその上に両ねじアップ式の端子部１３を保持する絶縁体材料（絶縁樹脂部材）からなる絶縁性のユニット１５が設けられている。端子開閉用レバー１２および両ねじアップ式の端子部１３が保持されたユニット１５に垂直方向に立設されて隣接ラインとの隔壁となっている側壁１１が設けられている。
【００４９】
図７は、図５の保護カバー２１が断路端子台１０の上部に装着された複数ユニット構成を示す平面図である。図８は図７の複数ユニット構成の正面図である。なお、図７および図８では、保護カバー２１はカバー部材１９を取り除いた状態で記載されているが、保護カバー２１はカバー部材１９のレバー用角孔に係合して端子開閉用レバー１２だけを覆って１ライン分だけを保護している。
【００５０】
図７および図８において、本実施形態２の保護カバー２１が装着された断路端子台１０の複数ユニット構成は、その複数のユニット１５の下部をアルミニュウム製のレール１６に通してその両側にエンドプレート１８をそれぞれ通す。さらに、その両側のエンドプレート１８の外側から複数のユニット１５と共に一括して各固定部材１７で締結して固定している。
【００５１】
以上により、本実施形態２によれば、端子開閉用レバー１２に接続される導電部材としての導電クリップ１４を両端子部１３の導電接続端子１３ａ間に抜き挿しする断路端子台１０の保護カバー２１において、端子開閉用レバー１２上のみを覆って端子開閉用レバー１２の操作状態を誤操作なく保持するように構成している。
【００５２】
これによって、導電接続端子１３ａ間の開回路状態と閉回路状態のうちの少なくとも閉回路状態をロック状態にして誤操作を防止できて安全性が確実な断路端子台１０の保護カバー２１、２１Ａを得ることができる。
【００５３】
なお、以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５４】
本発明は、例えば原子力発電所、火力発電所および変電所などの配電盤、制御盤および監視盤などに配線中継および分岐装置として用いられ、配線経路に挿入されて配線の接続変更やシステムの動作確認時などに電路を物理的に切り離したり接続したりする断路端子台の保護カバーの技術分野において、両導電端子部および端子開閉用レバーのうちの少なくとも端子開閉用レバー上およびその周囲を覆って該端子開閉用レバーの操作状態を保持するため、導電部材間の開回路状態と閉回路状態のうちの少なくとも閉回路状態をロック状態にして誤操作を防止できて安全性が確実な断路端子台の保護カバーを得ることができる。
【符号の説明】
【００５５】
１  保護カバー
２  上面部
３  垂直面部
３１  耳部
４  平面部
４１  貫通孔
５  垂直面部
５１  係合部
６  断面コ字状の開放部
１０  断路端子台
１１  側壁
１１ａ  外周上部端面形状部の括れ部
１２  端子開閉用レバー
１３  ねじアップ式の端子部（導電端子部）
１３ａ  導電接続端子
１４  導通クリップ
１５  ユニット
１６  レール
１７  固定部材
１８  エンドプレート
１９  既存のカバー部材
２１、２１Ａ  保護カバー
２２  上面部
２３  垂直面部
２３ａ  幅広部
２３ｂ  係合部
２４  断面コ字状の開放部
【図１】
0005865891.tif 000002
【図２】
0005865891.tif 000003
【図３】
0005865891.tif 000004
【図４】
0005865891.tif 000005
【図５】
0005865891.tif 000006
【図６】
0005865891.tif 000007
【図７】
0005865891.tif 000008
【図８】
0005865891.tif 000009
【図９】
0005865891.tif 000010